(57)【要約】【課題】軸部と胴部が相対的に回転するバトルと、軸部と胴部が相対的に回転しないバトルとの双方を行うことができるコマ玩具を提供すること。【解決手段】前記軸部及び前記胴部の一方に、係止部を有し、第１位置と第２位置との間で動作し、前記第１位置から前記第２位置へは遠心力によって動作可能な可動係止部品が設けられ、前記軸部及び前記胴部の他方に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記軸部及び前記胴部の前記一方に、前記可動係止部品の動作を前記第１位置でロックし、前記可動係止部品が所定の遠心力で前記第１位置から前記第２位置まで動作する際にロック解除するロック機構が設けられたことを特徴とする。【選択図】図９
2020005977.tif 000002
【特許請求の範囲】
【請求項１】
軸部と胴部を備え、バトル中に前記胴部に作用する外部からの衝撃によって前記軸部と前記胴部とが相対回転するように構成されたコマ玩具において、
前記軸部及び前記胴部の一方に、係止部を有し、第１位置と第２位置との間で動作し、前記第１位置から前記第２位置へは遠心力によって動作可能な可動係止部品が設けられ、前記軸部及び前記胴部の他方に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記軸部及び前記胴部の前記一方に、前記可動係止部品の動作を前記第１位置でロックし、前記可動係止部品が所定の遠心力で前記第１位置から前記第２位置まで動作する際にロック解除するロック機構が設けられていることを特徴とするコマ玩具。
【請求項２】
前記軸部と前記胴部とは、バトル中に前記胴部に作用する外部からの衝撃によって前記軸部と前記胴部とが所定量相対回転することによって分解されることを特徴とする請求項１に記載のコマ玩具。
【請求項３】
前記軸部は、軸部本体と前記胴部とによって挟持されて設けられ、前記軸部と一体的に回転するフライホイールを付属部品として備え、前記フライホイールに前記被係止部が設けられていることを特徴とする請求項１又は請求項２に記載のコマ玩具。
【請求項４】
前記胴部には、前記コマ玩具に回転付勢力を与えるランチャのフォークと、前記フライホイールの上面に設けた舌片とが同時に挿入可能な孤状スリットが形成され、前記第２位置では前記係止部は前記孤状スリット内に進入し前記フォークの挿入を阻止することを特徴とする請求項３に記載のコマ玩具。
【請求項５】
前記可動係止部品及び前記ロック機構は前記胴部に設けられていることを特徴とする請求項１〜請求項４のいずれか一項に記載のコマ玩具。
【請求項６】
前記可動係止部品は、長手方向中間の所定の軸を中心に揺動可能に構成され、一端側に第２位置で胴部本体の半径方向外方に張り出す衝突部が設けられ、他端側に前記係止部が設けられ、前記ロック機構は、前記第１位置で弾性力により前記可動係止部品の動作をロックすることを特徴とする請求項１〜請求項５のいずれか一項に記載のコマ玩具。
【請求項７】
前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部材との摺接を介して自動的に前記前記他の係止部に係止及び係止解除を行うことを特徴とする請求項６に記載のコマ玩具。
【発明の詳細な説明】
【技術分野】
【０００１】
本発明はコマ玩具に関するものである。
【背景技術】
【０００２】
従来、軸部と胴部を備え、バトル中に胴部に作用する外部からの衝撃によって軸部と胴部とが所定範囲で相対回転して所定箇所で軸部と胴部とが分解されるコマ玩具が知られている(例えば、特許文献１参照)。
このコマ玩具によれば、衝突の際に軸部と胴部が相対的に回転すると、衝突の際に自分のコマ玩具が受ける衝撃が緩和されるととともに、相手方に与える衝撃も緩和される。一方、軸部と胴部が相対的に回転しないコマ玩具では、衝突の際に自分のコマ玩具が受ける衝撃が大きく、また、相手方のコマ玩具に与える衝撃も大きい。
【先行技術文献】
【特許文献】
【０００３】
【特許文献１】特許第６２５８５４１号公報
【発明の概要】
【発明が解決しようとする課題】
【０００４】
しかしながら、従来のコマ玩具においては、軸部と胴部が相対的に回転する構造となっているか、軸部と胴部が相対的に回転する構造となっていないか、のいずれかであって、バトルの態様が限定されていた。
本発明は、このような問題点に鑑みなされたもので、軸部と胴部が相対的に回転するバトルと、軸部と胴部が相対的に回転しないバトルとの双方を行うことができるコマ玩具を提供することを目的としている。
【課題を解決するための手段】
【０００５】
第１の手段は、
軸部と胴部を備え、バトル中に前記胴部に作用する外部からの衝撃によって前記軸部と前記胴部とが相対回転するように構成されたコマ玩具において、
前記軸部及び前記胴部の一方に、係止部を有し、第１位置と第２位置との間で動作し、前記第１位置から前記第２位置へは遠心力によって動作可能な可動係止部品が設けられ、前記軸部及び前記胴部の他方に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記軸部及び前記胴部の前記一方に、前記可動係止部品の動作を前記第１位置でロックし、前記可動係止部品が所定の遠心力で前記第１位置から前記第２位置まで動作する際にロック解除するロック機構が設けられていることを特徴とする。
【０００６】
第２の手段は、第１の手段において、前記軸部と前記胴部とは、バトル中に前記胴部に作用する外部からの衝撃によって前記軸部と前記胴部とが所定量相対回転することによって分解されることを特徴とする。
【０００７】
第３の手段は、第１の手段又は第２の手段において、前記軸部は、軸部本体と前記胴部とによって挟持されて設けられ、前記軸部と一体的に回転するフライホイールを付属部品として備え、前記フライホイールに前記被係止部が設けられていることを特徴とする。
【０００８】
第４の手段は、第３の手段において、前記胴部には、前記コマ玩具に回転付勢力を与えるランチャのフォークと、前記フライホイールの上面に設けた舌片とが同時に挿入可能な孤状スリットが形成され、前記第２位置では前記係止部は前記孤状スリット内に進入し前記フォークの挿入を阻止することを特徴とする。
【０００９】
第５の手段は、第１の手段〜第４の手段において、前記可動係止部品及び前記ロック機構は前記胴部に設けられていることを特徴とする。
【００１０】
第６の手段は、第１の手段〜第５の手段において、前記可動係止部品は、長手方向中間の所定の軸を中心に揺動可能に構成され、一端側に第２位置で胴部本体の半径方向外方に張り出す衝突部が設けられ、他端側に前記係止部が設けられ、前記ロック機構は、前記第１位置で弾性力により前記可動係止部品の動作をロックすることを特徴とする。
【００１１】
第７の手段は、第６の手段において、前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部材との摺接を介して自動的に前記前記他の係止部に係止及び係止解除を行うことを特徴とする。
【発明の効果】
【００１２】
第１の手段〜第４の手段によれば、第１位置でロック機構によって係止部による被係止部の係止状態がロックされているときには、軸部と胴部とが相対移動するバトルを行い、ロックが解除された第２位置では軸部と胴部とが相対移動しにくいバトルを行うことができる。
この場合、第２の手段によれば、軸部と胴部の相対回転阻止によって分解を妨げることができる。
また、第４の手段によれば、最初から相対回転を阻止する態様となるのを予め阻止することができる。
【００１３】
第５の手段によれば、軸部に比べて半径方向に大きく拡がる胴部に可動係止部品及びロック機構を設けるので、可動係止部品及びロック機構を設けることが容易となる。
【００１４】
第６の手段によれば、第１の手段又は第２の手段において、前記可動係止部品の衝突部は、第２位置で胴部本体の半径方向外方に張り出すので、攻撃部として機能することになる。
【００１５】
第７の手段によれば、係止片は、可動係止部品の動作によって、可動係止部材との摺接を介して自動的に前記前記他の係止部に係止及び係止解除を行うので、その取扱いが容易となる。
【図面の簡単な説明】
【００１６】
【図１】実施形態のコマ玩具とランチャとを示した斜視図である。
【図２】コマ玩具の分解斜視図である。
【図３】コマ玩具の軸部及びフライホイールの半部を示した縦断斜視図である。
【図４】コマ玩具の胴部を下方から見た状態を示した斜視図である。
【図５】コマ玩具の胴部を上方から見た状態を示した分解斜視図である。
【図６】コマ玩具の胴部を下方から見た状態を示した分解斜視図である。
【図７】軸部と胴部とが相対回転する胴部の状態を示した平面図である。
【図８】軸部と胴部との相対回転が阻止されるときの胴部の状態を示した平面図である。
【図９】コマ玩具の可動係止部品がロック機構によってロックされた状態を示した図である。
【図１０】コマ玩具の可動係止部品がロック機構によってロック解除された状態を示した図である。
【図１１】軸部と胴部の結合構造を示した断面図である。
【図１２】他の実施形態のコマ玩具の胴部の底面図である。
【図１３】他の実施形態のコマ玩具の可動係止部品がロック機構によってロックされた状態を示した図である。
【発明を実施するための形態】
【００１７】
以下、本発明のコマ玩具を図面に示した実施形態に基づいて説明する。
【００１８】
(全体)
図１はコマ玩具及びランチャ（発射装置）の外観を示した斜視図、図２はコマ玩具の分解斜視図である。
このうちコマ玩具１は、例えば、コマ玩具同士の衝突を通じて勝敗を競うバトルゲーム等に使用される。このコマ玩具１は軸部１０、フライホイール３０及び胴部４０を備えいる。
【００１９】
(細部)
１．軸部１０及びフライホイール３０
図３は軸部１０及びフライホイール３０の半部を示した斜視図である。この半部に対して残りの半部は点対称となっている。なお、軸部１０及びフライホイール３０の説明において、上下、左右、前後は図３に示す方向を言うものとする。
このうち軸部１０は、下端部に接地部である回転軸１１、上下方向中間部に鍔１２、上端部に円筒体１３を備える。
鍔１２と円筒体１３とは一体的に形成されている。円筒体１３の中心には柱体１４が設けられている。柱体１４の上端部外周には前後それぞれに半径方向外方に張り出す爪１７が１個ずつ形成されている。この柱体１４は、軸下部１０ａに固定して設けられている。軸下部１０ａの外周面は、鍔１２側から回転軸１１の先端側に向けて段階的に縮径し、全体として略逆円錐状に形成されている。この軸下部１０ａは、図示しないねじ等によって鍔１２に固定されている。
鍔１２及び円筒体１３には、前後それぞれに孔１５が１個ずつ鍔１２及び円筒体１３に亘って形成されている。また、円筒体１３の外周面には、左右それぞれに突出部１６が１個ずつ形成されている。各突出部１６の外面は鍔１２の外周面と面一となっている。
【００２０】
また、軸部１０は環状の押圧部材１８を備えている。押圧部材１８は、柱体１４の上端部の外側に嵌まり合う形の環状の上端部１８ｂを有している。この押圧部材１８は、円筒体１３の内側で柱体１４を取り囲むようにして設置されている。押圧部材１８の下端部外周には、前後それぞれに半径方向外方に張り出す脚部１８ａが１個ずつ形成されている。
【００２１】
この押圧部材１８は、各脚部１８ａがそれに対応する孔１５から露出するように組み付けられる。孔１５は脚部１８ａの上下方向の移動を許容するが、孔１５の上縁で脚部１８ａの上方への移動を規制する。また、押圧部材１８は、ばね１９によって上方に付勢されている。なお、押圧部材１８の上端部１８ｂの上面には、左右それぞれに半径方向に延びる凸条（突起）２０が１個ずつ形成されている。
【００２２】
２．フライホイール３０
フライホイール３０は環状に形成されている。このフライホイール３０は軸部１０の付属部品であり、取り付けられたときには分解される場合を除いて軸部１０と一体化されるが、フライホール３０がなくともコマ玩具１として利用できる。フライホイール３０の下面内周側には軸部１０の鍔１２を下方から収容可能な環状段部３０ａが形成されている。このフライホイール３０の上面には左右それぞれに上方に向けて張り出す突出部３１が１個ずつ形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２３】
図４は胴部４０を下方から見た状態を示した斜視図、図５は胴部４０を上方から見た状態を示した分解斜視図、図６は胴部４０を下方から見た状態を示した分解斜視図である。  
胴部４０は、下胴部４１、上胴部４２、可動係止部品４３及びロック機構４４を備える。なお、胴部４０の説明において上下、左右、前後は特に断らない限り図５に示す方向を言うものとする。
【００２４】
（１）下胴部４１
下胴部４１は全体として円板状に形成されている。この下胴部４１は、外周部を構成する環状部４１ａと、環状部４１ａの中央の孔内に配置され当該環状部４１ａよりも一段高い高台４１ｂとを備えている。高台４１ｂは、環状部４１ａの中央の孔よりも径が小さく、前後の支持部４１ｃを介して環状部４１ａに支持されている。一方、下胴部４１の左右方向には、高台４１ｂと環状部４１ａとの間に所定の隙間４１ｄが１個ずつ形成されている。各隙間４１ｄには上記フライホイール３０の舌片３３が下方から１個ずつ挿入される。
また、高台４１ｂの中央には円形の孔４１ｅが形成されている。
【００２５】
図６に示すように、下胴部４１の下面には、孔４１ｅの縁を下方に延出した形の円筒壁４１ｆが形成されている。円筒壁４１ｆの下端内周には、軸心を挟んで対峙する２つの箇所それぞれに、爪４１ｇが１個ずつ形成されている。各爪４１ｇの下面には、図４に示すように、コマ玩具１の回転方向後端部に、放射方向に延びる凸条を円周方向に所定間隔で複数本配した起伏部４１ｈが形成されている。
また、下胴部４１の環状部４１ａには、座繰り付きのねじ挿通孔４１ｉが合計３個、円周方向に等間隔で設けられている。また、下胴部４１の上面にはねじ挿通孔４１ｉに致心して筒状の内嵌部４１ｊが形成されている。
【００２６】
（２）上胴部４２
図７は相対回転可能する状態の胴部を示した平面図、図８は相対回転が阻止される状態の胴部を示した平面図である。ここで、「相対回転が阻止されている状態」とは、相対回転が最初から阻止される場合と、相対回転の途中で阻止される場合との双方を含む。
上胴部４２は下胴部４１を上方から被覆する。図６に示すように、上胴部４２の外周には衝突部を構成する様々な形状の固定ブレード（固定衝突部）４２ａが形成されている。この上胴部４２の左右には、図７に示すように、下胴部４１の各隙間４１ｄに対応して孤状スリット４２ｂが１個ずつ形成されている。孤状スリット４２ｂは、コマ玩具１の回転方向前端部側が狭幅となっている。この孤状スリット４２ｂには、下方から隙間４１ｄに挿通されたフライホイール３０の舌片３３が挿入される。また、この孤状スリット４２ｂには、後述のランチャ６０のフォーク６３が上方から挿入される。
また、上胴部４２には、雌ねじ４２ｃが形成された柱状体４２ｄが３個設けられている。そして、上胴部４２は、下胴部４１のねじ挿通孔４１ｉ及び後述のねじ挿通孔４３ｅに下方から挿通させた雄ねじ４０ａを雌ねじ４２ｃに螺合させることによって、下胴部４１に取り付けられる。
【００２７】
（３）可動係止部品４３及びロック機構４４
図９は、可動係止部品４３がロック機構４４によってロックされた状態を示した図、図１０は、可動係止部品４３がロック機構４４によってロック解除された状態を示した図である。
可動係止部品４３及びロック機構４４は組をなし、実施形態のコマ玩具１では、この組が３個設けられている。この３組の可動係止部品４３及びロック機構４４は、下胴部４１と上胴部４２との間に設けられる。
このうち可動係止部品４３は、コマ玩具１の半径方向外方に膨らむように弓状に形成されている。この可動係止部品４３の長手方向中間部には、上記内嵌部４１ｊと嵌合する外嵌部４３ａが形成されている。外嵌部４３ａの内部にはねじ挿通孔４３ｅが形成されている。この外嵌部４３ａと嵌合部４１ｊとの嵌合によって、可動係止部品４３は雄ねじ（軸）４０ａを中心として揺動可能となっている。
可動係止部品４３は、一端側のアームの外側が衝突部４３ｂを構成し、他端側のアームの先端には楔状の被係止部４３ｃが形成されている。また、３個の可動係止部品４３のうちの１個の可動係止部品４３Ａの他端側のアームの内側には三角状の係止部４３ｄが形成されている。係止部４３ｄは、可動係止部品４３Ａが平面視で時計方向に回転した際に孤状スリット４２ｂ内に突入する（図８参照）。突入位置は、孤状スリット４２ｂに挿入されたフライホイール３０の舌片３３の移動域で、孤状スリット４２ｂにおけるコマ玩具１の回転方向前端側である。この係止部４３ｄが孤状スリット４２ｂに突入することによって、フライホイール３０の舌片３３の移動が係止部４３ｄによって妨げられ、軸部１０と胴部４０との相対回転が阻止される。また、係止部４３ｄは、可動係止部品４３Ａが平面視で反時計方向に回転した際に孤状スリット４２ｂから退く（図７参照）。これによって、フライホイール３０の舌片３３の移動が係止部４３ｄによって妨げられなくなり、軸部１０と胴部４０との相対回転が許容される。
【００２８】
ロック機構４４は、スプリング４４ａと、スプリング４４ａの一端に付設された係止片４４ｂとを備える。スプリング４４ａは係止片４４ｂの先端を常時に可動係止部品４３に当接させておく働きをする。このスプリング４４ａと係止片４４ｂは下胴部４１及び上胴部４２によって形成される所定の部屋に設置される。
【００２９】
（コマ玩具１の組立方法）
次に、コマ玩具１の全体の組立方法を説明する。
先ず、軸部１０の突出部１６を下方からフライホイール３０の凹部３２に合致させるようにして、軸部１０とフライホイール３０を嵌合状態に組み付ける。次に、この組付け体を胴部４０に下方から近付ける。
次に、フライホイール３０の舌片３３を下方から胴部４０の弧状スリット４２ｂの一端部に挿入する。具体的には、孤状スリット４２ｂにおけるコマ玩具１の回転方向前端部にフライホイール３０の舌片３３を挿入する。この状態では、軸部１０の爪１７が２個の爪４１ｇの間に位置している。この状態が結合解除状態である。その後、上記組付け体の軸部１０を胴部４０側に押圧する。すると、まず、フライホイール３０が胴部４０の下面に押し当てられる。さらに、軸部１０内のスプリング１９が縮みながら押圧部材１８が下がり、軸部１０の爪１７が胴部４０の爪４１ｇよりも相対的に上方に押し上げられる。すると、胴部４０の爪４１ｇが軸部１０の爪１７の下側にくる。そして、軸部１０をフライホイール３０と一体的に所定方向（コマ玩具１の回転方向とは反対の方向）に回転させると、爪１７と爪４１ｇとが上下で重なった状態となる。そして、軸部１０から手を離すと、軸部１０内のスプリング１９の付勢力によって、図１１に示すように、軸部１０の爪１７の下面と胴部４０の爪４１ｇの上面とが当接される。この状態、すなわち軸部１０の爪１７の下面と胴部４０の爪４１ｇの上面とが当接された状態が結合状態である。これにより、凸条２０と起伏部４１ｈが噛合して、コマ玩具１が組み立てられる。
【００３０】
（遊び方等）
続いて、このコマ玩具１を使用しての遊び方の一例を説明する。
まず、遊戯者が可動係止部品４３を平面視で反時計方向に回転させて、可動係止部品４３Ａの係止部４３ｄが孤状スリット４２ｂから退避した状態とする。
次に、コマ玩具１の回転力のチャージを行う。このチャージは、図１示すランチャ６０によって行われる。このランチャ６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転されるように構成されている。このコマホルダー６２の回転は、下方に突設されたフォーク６３によってコマ玩具１に伝達され、コマ玩具１を回転させる。この場合、フォーク６３は胴部４０の弧状スリット４１ｄに差し込まれ、フォーク６３の内側に形成された突起６３ｂを孤状スリット４２ｂの狭幅部分下に潜り込ませる。そして、ランチャ６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
なお、可動係止部品４３の係止部４３ｄが孤状スリット４２ｂ内に突入した状態では、係止部４３ｄに妨げられてフォーク６３は孤状スリット４２ｂ内に挿入できない。
【００３１】
放たれたコマ玩具１は、ランチャ６０による回転付勢力が大きい場合、つまり、所定の遠心力がコマ玩具１に作用した場合には、可動係止部品４３の衝突部４３ｂが半径方向外方に動作し始め、可動係止部品４３に係止片４４ｂが摺接してスプリング４４ａが縮む方向に動作する。これによって、ロック機構４４の係止片４４ｂによる可動係止部品４３の被係止部４３ｃの係止が解除される。これによって、可動係止部品４３が遠心力によって尚も動作し、可動係止部品４３の係止部４３ｄが孤状スリット４２ｂ内に突入する。これにより、軸部１０と胴部４０とが相対回転しようとするときに、舌片３３が途中で係止部４３ｄに突き当たり、それ以上の相対回転が阻止される。
【００３２】
一方、放たれたコマ玩具１は、ランチャ６０による回転付勢力が小さい場合には、ロック機構４４の係止片４４ｂによる可動係止部品４３の被係止部４３ｃの係止が解除されない。したがって、可動係止部品４３の係止部４３ｄが孤状スリット４２ｂ内に突入しないので、軸部１０と胴部４０との相対回転が妨げられない。その結果、相手方のコマ玩具に衝突すると、衝突による衝撃力によって、胴部４０の下面の起伏部４１ｈと凸条２０とは、胴部４０に対して軸部１０が相対回転をするに伴って、噛み合い位置を変更する。そして係止解除位置に達すると、胴部４０の爪４１ｇと軸部１０の爪１７との係止が解除され、軸部１０内のばね１９の付勢力によって胴部４０が軸部１０から離反する。
なお、コマ玩具１の可動係止部品４３が相手方のコマ玩具から所定以上の強い衝撃を受けた場合でも、可動係止部品４３のロックが解除されたりする場合もある。また、可動係止部品４３の係止部４３ｄが孤状スリット４２ｂ内に突入した場合であっても、所定以上の強い衝撃で胴部４０に対する軸部１０相対回転が起こったときに、可動係止部品４３のロックが解除されることもある。
【００３３】
（他の実施形態）
上記実施形態では、一方向回転用のコマ玩具１について説明したが、両方向回転用のコマ玩具にも適用できる。
図１２はその一例の胴部を示した底面図である。この胴部４０Ａでは、爪４１ｇの下面の全面又は両側に起伏部４１ｈが形成され、２つの爪４１ｇの間の隙間に爪１７を挿入した後、どちらの方向に軸部１０と胴部４０を相対回転させても、爪４１ｇと爪１７とを係合させることができるようにされている。したがって、予め、時計方向回転か反時計方向回転かを選択し、それに対応する方向に、軸部１０と胴部４０を相対回転させる必要がある。また、この胴部４０Ａの孤状スリット４２ｂは円周方向両側でランチャ６０の突起６３に係合するようにされている。ランチャ６０は回転方向の切換えが可能なものか、或いは、回転方向に応じたランチャ６０が用いられる。
この胴部４０Ａには、４組の可動係止部品４３及びロック機構４４が設けられている。このうち２組の可動係止部品４３及びロック機構４４は一方の孤状スリット４２ｂに対応し、残りの２組の可動係止部品４３及びロック機構４４は他方の孤状スリット４２ｂに対応して設けられている。各孤状スリット４２ｂに対応する２個の可動係止部品４３は所定の遠心力によって互いに反対方向に回転するようにされている。各可動係止部品４３には係止部４３ｄが形成され、各孤状スリット４２ｂに対応する２個の可動係止部品４３の間では、一方が孤状スリット４２ｂの円周方向一端側に突入し、他方が孤状スリット４２ｂの円周方向他端側に突入するようにされている。その結果、各孤状スリット４２ｂに対応する２個の可動係止部品４３の間では、所定の遠心力が作用した際に、一方の可動係止部品４３の係止部４３ｄはフライホイール３０の舌片３３の外側に突き当たるか、舌片３３が通過した後に孤状スリット４２ｂ内に突入するので、舌片３３の移動を妨げない。また、他方の可動係止部品４３の係止部４３ｄは孤状スリット４２ｂ内に突入し、舌片３３の移動を妨げることになる。
【００３４】
(本発明の変形)
以上、本発明を実施形態に基づいて説明したが、本発明は、かかる実施形態には限定されず、種々の変形が可能であることは言うまでもない。
例えば、上記実施形態では、ロック機構４４の構成要素としてスプリング４４ａを用いたが、係止片４４ｂ自体が弾性変形可能な弾性材料で形成されていてもよい。
【００３５】
また、上記実施形態では、所定の軸を中心に揺動する可動係止部品４３を設けたが、半径方向に直線往復動作する可動係止部品４３を設けてもよい。
【符号の説明】
【００３６】
１     コマ玩具
１０   軸部
４０   胴部
４０Ａ 胴部
４３   可動係止部品
４３Ａ 可動係止部品
４３ｂ 衝突部
４３ｃ 被係止部
４３ｄ 係止部
４４   ロック機構
４４ａ スプリング
４４ｂ 係止片
【図１】
2020005977.tif 000003
【図２】
2020005977.tif 000004
【図３】
2020005977.tif 000005
【図４】
2020005977.tif 000006
【図５】
2020005977.tif 000007
【図６】
2020005977.tif 000008
【図７】
2020005977.tif 000009
【図８】
2020005977.tif 000010
【図９】
2020005977.tif 000011
【図１０】
2020005977.tif 000012
【図１１】
2020005977.tif 000013
【図１２】
2020005977.tif 000014
【図１３】
2020005977.tif 000015
【手続補正書】
【提出日】平成31年4月22日(2019.4.22)
【手続補正１】
【補正対象書類名】明細書
【補正対象項目名】００１１
【補正方法】変更
【補正の内容】
【００１１】
第７の手段は、第６の手段において、前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部品との摺接を介して自動的に前記他の係止部に係止及び係止解除を行うことを特徴とする。
【手続補正２】
【補正対象書類名】特許請求の範囲
【補正対象項目名】全文
【補正方法】変更
【補正の内容】
【特許請求の範囲】
【請求項１】
軸部と胴部を備え、バトル中に前記胴部に作用する外部からの衝撃によって前記軸部と前記胴部とが相対回転するように構成されたコマ玩具において、
前記軸部及び前記胴部の一方に、係止部を有し、第１位置と第２位置との間で動作し、前記第１位置から前記第２位置へは遠心力によって動作可能な可動係止部品が設けられ、前記軸部及び前記胴部の他方に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記軸部及び前記胴部の前記一方に、前記可動係止部品の動作を前記第１位置でロックし、前記可動係止部品が所定の遠心力で前記第１位置から前記第２位置まで動作する際にロック解除するロック機構が設けられていることを特徴とするコマ玩具。
【請求項２】
前記軸部と前記胴部とは、バトル中に前記胴部に作用する外部からの衝撃によって前記軸部と前記胴部とが所定量相対回転することによって分解されることを特徴とする請求項１に記載のコマ玩具。
【請求項３】
前記軸部は、軸部本体と前記胴部とによって挟持されて設けられ、前記軸部と一体的に回転するフライホイールを付属部品として備え、前記フライホイールに前記被係止部が設けられていることを特徴とする請求項１又は請求項２に記載のコマ玩具。
【請求項４】
前記胴部には、前記コマ玩具に回転付勢力を与えるランチャのフォークと、前記フライホイールの上面に設けた舌片とが同時に挿入可能な孤状スリットが形成され、前記第２位置では前記係止部は前記孤状スリット内に進入し前記フォークの挿入を阻止することを特徴とする請求項３に記載のコマ玩具。
【請求項５】
前記可動係止部品及び前記ロック機構は前記胴部に設けられていることを特徴とする請求項１〜請求項４のいずれか一項に記載のコマ玩具。
【請求項６】
前記可動係止部品は、長手方向中間の所定の軸を中心に揺動可能に構成され、一端側に第２位置で胴部本体の半径方向外方に張り出す衝突部が設けられ、他端側に前記係止部が設けられ、前記ロック機構は、前記第１位置で弾性力により前記可動係止部品の動作をロックすることを特徴とする請求項１〜請求項５のいずれか一項に記載のコマ玩具。
【請求項７】
前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部品との摺接を介して自動的に前記他の係止部に係止及び係止解除を行うことを特徴とする請求項６に記載のコマ玩具。
【手続補正書】
【提出日】令和1年7月24日(2019.7.24)
【手続補正１】
【補正対象書類名】明細書
【補正対象項目名】０００５
【補正方法】変更
【補正の内容】
【０００５】
第１の手段は、
軸部と胴部を備え、バトル中に前記胴部に作用する外部からの衝撃によって前記軸部と前記胴部とが相対回転するように構成されたコマ玩具において、
前記胴部に、係止部を有し、第１位置と第２位置との間で動作し、前記第１位置から前記第２位置へは遠心力によって動作可能な可動係止部品が設けられ、前記軸部に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記胴部に、前記可動係止部品の動作を前記第１位置でロックし、前記可動係止部品が所定の遠心力で前記第１位置から前記第２位置まで動作する際にロック解除してそのロック解除状態を保持するロック機構が設けられていることを特徴とする。
【手続補正２】
【補正対象書類名】明細書
【補正対象項目名】０００９
【補正方法】変更
【補正の内容】
【０００９】
第５の手段は、第１の手段〜第４の手段において、前記可動係止部品及び前記ロック機構の組が前記胴部に複数設けられていることを特徴とする。
【手続補正３】
【補正対象書類名】明細書
【補正対象項目名】００１１
【補正方法】変更
【補正の内容】
【００１１】
第７の手段は、第６の手段において、前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部品との摺接を介して自動的に前記他の被係止部の係止及び係止解除を行うことを特徴とする。
【手続補正４】
【補正対象書類名】明細書
【補正対象項目名】００１５
【補正方法】変更
【補正の内容】
【００１５】
第７の手段によれば、係止片は、可動係止部品の動作によって、可動係止部品との摺接を介して自動的に他の被係止部の係止及び係止解除を行うので、その取扱いが容易となる。
【手続補正５】
【補正対象書類名】特許請求の範囲
【補正対象項目名】全文
【補正方法】変更
【補正の内容】
【特許請求の範囲】
【請求項１】
軸部と胴部を備え、バトル中に前記胴部に作用する外部からの衝撃によって前記軸部と前記胴部とが相対回転するように構成されたコマ玩具において、
前記胴部に、係止部を有し、第１位置と第２位置との間で動作し、前記第１位置から前記第２位置へは遠心力によって動作可能な可動係止部品が設けられ、前記軸部に、前記第１位置で前記係止部による係止を解除されて前記軸部と前記胴部の相対回転を許容し、前記第２位置で前記係止部により係止されて前記軸部と前記胴部の相対回転を阻止する被係止部が設けられ、さらに、前記胴部に、前記可動係止部品の動作を前記第１位置でロックし、前記可動係止部品が所定の遠心力で前記第１位置から前記第２位置まで動作する際にロック解除してそのロック解除状態を保持するロック機構が設けられていることを特徴とするコマ玩具。
【請求項２】
前記軸部と前記胴部とは、バトル中に前記胴部に作用する外部からの衝撃によって前記軸部と前記胴部とが所定量相対回転することによって分解されることを特徴とする請求項１に記載のコマ玩具。
【請求項３】
前記軸部は、軸部本体と前記胴部とによって挟持されて設けられ、前記軸部と一体的に回転するフライホイールを付属部品として備え、前記フライホイールに前記被係止部が設けられていることを特徴とする請求項１又は請求項２に記載のコマ玩具。
【請求項４】
前記胴部には、前記コマ玩具に回転付勢力を与えるランチャのフォークと、前記フライホイールの上面に設けた舌片とが同時に挿入可能な孤状スリットが形成され、前記第２位置では前記係止部は前記孤状スリット内に進入し前記フォークの挿入を阻止することを特徴とする請求項３に記載のコマ玩具。
【請求項５】
前記可動係止部品及び前記ロック機構の組が前記胴部に複数設けられていることを特徴とする請求項１〜請求項４のいずれか一項に記載のコマ玩具。
【請求項６】
前記可動係止部品は、長手方向中間の所定の軸を中心に揺動可能に構成され、一端側に第２位置で胴部本体の半径方向外方に張り出す衝突部が設けられ、他端側に前記係止部が設けられ、前記ロック機構は、前記第１位置で弾性力により前記可動係止部品の動作をロックすることを特徴とする請求項１〜請求項５のいずれか一項に記載のコマ玩具。
【請求項７】
前記ロック機構は、スプリングと、前記スプリングに追従して動作する係止片とを備え、前記可動係止部品の前記他端側に前記第１位置で前記係止片によって係止される他の被係止部が設けられ、前記係止片は、前記可動係止部品の動作によって、前記可動係止部品との摺接を介して自動的に前記他の被係止部の係止及び係止解除を行うことを特徴とする請求項６に記載のコマ玩具。